(57)【要約】【課題】試運転の時間を短縮し、施工者の負担を軽減することができる風呂給湯装置を提供すること。【解決手段】家庭の給湯栓及び浴槽に給湯可能に配管接続され、外部装置と通信接続可能に構成された制御手段を備えた風呂給湯装置において、外部装置は、通信網に通信接続されて複数種類の浴槽の浴槽データを収集したデータベースを備えたサーバと、画像撮影可能で且つ前記通信網に通信接続可能な携帯用端末を含み、制御手段は、携帯用端末で撮影した家庭の浴槽の画像に対応するデータベース中の浴槽データを外部装置から受信し、この受信した浴槽データに基づいて試運転を行う。【選択図】図８
2020003091.tif 000002
【特許請求の範囲】
【請求項１】
家庭の給湯栓及び浴槽に給湯可能に配管接続され、外部装置と通信接続可能に構成された制御手段を備えた風呂給湯装置において、
前記外部装置は、通信網に通信接続されて複数種類の浴槽に関する浴槽データを収集したデータベースを備えたサーバと、画像撮影可能で且つ前記通信網に通信接続可能な携帯用端末を含み、
前記制御手段は、前記携帯用端末で撮影した前記家庭の浴槽の画像に対応する前記データベース中の浴槽データを前記外部装置から受信し、この受信した浴槽データに基づいて試運転を行うことを特徴とする風呂給湯装置。
【請求項２】
前記外部装置から受信する浴槽データは浴槽の仕様データであり、
前記制御手段は、前記仕様データに基づいて浴槽の水位に対応する給湯量を算出して試運転を行うことを特徴とする請求項１に記載の風呂給湯装置。
【請求項３】
前記外部装置から受信する浴槽データは浴槽の型式データであり、
前記制御手段は、複数の浴槽の型式データ及び仕様データを予め記憶し、受信した型式データに対応する浴槽の仕様データに基づいて浴槽の水位に対応する給湯量を算出して試運転を行うことを特徴とする請求項１に記載の風呂給湯装置。
【請求項４】
前記外部装置から受信する浴槽データは、浴槽の寸法及び形状に基づいて作成された試運転シーケンスであることを特徴とする請求項１に記載の風呂給湯装置。
【発明の詳細な説明】
【技術分野】
【０００１】
本発明は、浴槽に湯水を供給して試運転を行う風呂給湯装置に関する。
【背景技術】
【０００２】
従来から、家庭には給湯栓や浴槽等に給湯する風呂給湯装置が設置されている。住宅の新築や改装によって新規に導入された風呂給湯装置は、設置完了後に動作確認のための試運転を行う。風呂給湯装置は、浴槽に所望の水位の湯張りを自動的に行う機能を搭載しているものが多く、試運転時に給湯量と水位の関係を確認している。
【０００３】
風呂給湯装置に配管接続される浴槽は、形状、大きさ、製造者等が異なる複数の浴槽の中から選択されるので、風呂給湯装置と浴槽の組み合わせの数は膨大である。そのため、風呂給湯装置の試運転において、風呂給湯装置に配管接続された浴槽の形状や大きさを調べて給湯量と水位の関係を設定するために、少量ずつ湯水を供給して水位を確認することを繰り返し行っている。
【０００４】
この湯水供給と水位確認の繰り返しによって試運転に要する時間が長くなっており、時間短縮の要求がある。この試運転の時間短縮のために、例えば特許文献１のように、風呂給湯装置の試運転において三角測量法を利用して所定の水位に対応する浴槽の容積を算出する技術が知られている。
【先行技術文献】
【特許文献】
【０００５】
【特許文献１】特開２０１６−８７７７号公報
【発明の概要】
【発明が解決しようとする課題】
【０００６】
しかし、特許文献１では、三角測量法のために浴槽を異なる位置、角度から複数回撮影する必要があるので、試運転の実質的な時間短縮幅が小さく、改善の余地があった。本発明の目的は、試運転の時間を短縮することができる風呂給湯装置を提供することである。
【課題を解決するための手段】
【０００７】
請求項１の発明は、家庭の給湯栓及び浴槽に給湯可能に配管接続され、外部装置と通信接続可能に構成された制御手段を備えた風呂給湯装置において、前記外部装置は、通信網に通信接続されて複数種類の浴槽に関する浴槽データを収集したデータベースを備えたサーバと、画像撮影可能で且つ前記通信網に通信接続可能な携帯用端末を含み、前記制御手段は、前記携帯用端末で撮影した前記家庭の浴槽の画像に対応する前記データベース中の浴槽データを前記外部装置から受信し、この受信した浴槽データに基づいて試運転を行うことを特徴としている。
【０００８】
上記構成によれば、風呂給湯装置の試運転の際に、携帯用端末で撮影した家庭の浴槽の画像に基づいてサーバのデータベースから選択された家庭の浴槽に対応する浴槽データを制御手段が受信し、受信した浴槽データに基づいて制御手段が風呂給湯装置の試運転を行う。従って、風呂給湯装置が配管接続された家庭の浴槽に対応する試運転を行うことができるので、試運転の時間を短縮することができる。
【０００９】
請求項２の発明は、請求項１の発明において、前記外部装置から受信する浴槽データは浴槽の仕様データであり、前記制御手段は、前記仕様データに基づいて浴槽の水位に対応する給湯量を算出して試運転を行うことを特徴としている。
【００１０】
上記構成によれば、受信した仕様データに基づいて浴槽の水位に対応する給湯量を算出し、算出した給湯量の湯水を浴槽に供給して試運転を行う。従って、家庭に設置された浴槽に対応する試運転を行うことができるので、試運転の時間を短縮することができる。
【００１１】
請求項３の発明は、請求項１の発明において、前記外部装置から受信する浴槽データは浴槽の型式データであり、前記制御手段は、複数の浴槽の型式データ及び仕様データを予め記憶し、受信した型式データに対応する浴槽の仕様データに基づいて浴槽の水位に対応する給湯量を算出して試運転を行うことを特徴としている。
【００１２】
上記構成によれば、風呂給湯装置が予め記憶した複数の浴槽に関するデータのうち、受信した浴槽の型式データに対応する浴槽の仕様データを用いて浴槽の水位に対応する給湯量を算出し、試運転を行う。従って、家庭に設置された浴槽に対応する試運転を行うことができるので、試運転の時間を短縮することができる。
【００１３】
請求項４の発明は、請求項１の発明において、前記外部装置から受信する浴槽データは、浴槽の寸法及び形状に基づいて作成された試運転シーケンスであることを特徴としている。
【００１４】
上記構成によれば、浴槽の寸法及び形状に基づいて適切な給湯量と水位の関係を算定して作成された試運転シーケンスに基づいて試運転を行う。従って、家庭に設置された浴槽に対応する試運転を行うことができるので、試運転の時間を短縮することができる。
【発明の効果】
【００１５】
本発明の風呂給湯装置によれば、試運転の時間を短縮することができる。
【図面の簡単な説明】
【００１６】
【図１】本発明の実施例１に係る風呂給湯装置の接続構成を示す図である。
【図２】風呂給湯装置の制御部の構成を示すブロック図である。
【図３】風呂給湯装置の制御部の構成を示すブロック図である。
【図４】風呂給湯装置の制御部の構成を示すブロック図である。
【図５】従来の風呂給湯装置の試運転シーケンスを示すフローチャートである。
【図６】試運転時の浴槽の水位を示す図である。
【図７】実施例１に係る浴槽データ取得のフローチャートである。
【図８】実施例１に係る風呂給湯装置の試運転シーケンスを示すフローチャートである。
【図９】実施例３に係る風呂給湯装置の試運転シーケンスを示すフローチャートである。
【発明を実施するための形態】
【００１７】
以下、本発明を実施するための形態について実施例に基づいて説明する。
【実施例１】
【００１８】
最初に、図１に基づいて風呂給湯装置１について説明する。
風呂給湯装置１は、例えば燃料の燃焼熱により湯水を加熱する瞬間式給湯器であり、浴槽２及び給湯栓等（図示略）に給湯可能に配管接続されている。この風呂給湯装置１は、供給された上水を加熱部３で加熱した湯水と上水を混合弁４で混合することにより温度調整し、温度調整した湯水を給湯栓等に給湯するための給湯通路５と、給湯通路５から分岐して浴槽２に供給するための湯張り通路６を有する。また、浴槽２の湯水を加熱部３に送り、加熱部３で加熱して湯張り通路６を介して浴槽２に戻す追焚通路７を有する。浴槽２には、湯張り通路６及び追焚通路７を浴槽２に接続するための循環アダプタ２ａが配設されている。
【００１９】
給湯通路５には給湯流量センサ５ａや図示外の給湯温度センサ等が配設されている。給湯通路５から分岐した湯張り通路６は、追焚通路７に接続されている。湯張り通路６を開閉する開閉弁６ａは、浴槽２に湯水を供給する際に開放され、これ以外のときは閉止される。追焚通路７には浴槽２の湯水を加熱部３に供給するためのポンプ７ａと、その湯水の流れを検出する水流スイッチ７ｂが配設されている。これらの各種センサ、混合弁４、開閉弁６ａ、ポンプ７ａ、加熱部３等は、制御部８(制御手段)に通信可能に接続されている。制御部８は、例えば図２に示すように、ＣＰＵ８ａと、ＤＲＡＭ等で構成されたメモリ８ｂと、フラッシュメモリ等で構成された記憶装置８ｃと、通信インタフェース８ｄ等を備え、各種センサの検出値等に基づいて試運転や給湯、湯張り、追焚等の各運転を制御するプログラムを実行する。
【００２０】
図１に示すように、制御部８には操作端末９が通信可能に接続され、この操作端末９から給湯運転における給湯設定温度、湯張り運転や追焚運転における浴槽設定温度等の温度設定や湯張り運転における浴槽２の水位の設定等を行う。また、操作端末９の操作によって試運転や湯張り運転、追焚運転等を実行させる。操作端末９は、制御部８との通信接続の他に、外部装置１０や通信網１１に通信接続可能な通信手段９ａを備えている。通信網１１は例えばインターネット回線であり、通信手段９ａは有線又は無線の公知の通信装置である。
【００２１】
次に、外部装置１０について説明する。
外部装置１０は、施工者が持ち運び可能な携帯用端末１２（例えば、汎用又は専用のタブレットＰＣやスマートフォン等）と、通信網１１に接続されたサーバ１３を含み、風呂給湯装置１の施工時やメンテナンス時に風呂給湯装置１の操作端末９に通信接続される。
【００２２】
図３に示すように携帯用端末１２は、ＣＰＵ１２ａと、ＤＲＡＭ等で構成されたメモリ１２ｂと、フラッシュメモリ等で構成された記憶装置１２ｃと、画像撮影可能なカメラ１２ｄと、タッチ操作可能な表示装置１２ｅと、通信網１１に通信接続する機能及び操作端末９に通信接続する機能を備えた通信手段１２ｆ等を備えている。そして携帯用端末１２には、カメラ１２ｄによる家庭の浴槽２の撮影を補助し、撮影した画像データをサーバ１３に通信網１１を介して送信し、サーバ１３から浴槽２に対応する浴槽データを受信して操作端末９に送信する機能を提供する端末用プログラムが導入されている。
【００２３】
携帯用端末１２は、撮影時に撮影すべき浴槽２の部位等を表示装置１２ｅに案内表示して撮影を補助し、撮影した浴槽２の画像データを自動的に又は表示装置１２ｅからの操作によってサーバ１３に送信する。送信する浴槽２の画像データは、撮影すべき部位として少なくとも循環アダプタ２ａと浴槽２の排水口２ｂを含む浴槽２の全体を撮影した画像データである。そして、サーバ１３が送信した浴槽データを受信してメモリ１２ｂ又は記憶装置１２ｃに記憶し、操作端末９に通信接続してその受信した浴槽データを操作端末９に送信する。
【００２４】
図４に示すように、サーバ１３は、ＣＰＵ１３ａと、ＤＲＡＭ等で構成されたメモリ１３ｂと、フラッシュメモリや磁気ディスク等で構成された記憶装置１３ｃと、通信網１１に通信接続する通信手段１３ｄ等を備えたコンピュータである。サーバ１３には、例えば通信網１１を利用して複数種類の浴槽データを収集して構成したデータベースを記憶装置１３ｃに記憶し、携帯用端末１２から送信された浴槽２の画像データに対応する浴槽データを選択して送信する機能を提供するデータベースプログラムが導入されている。
【００２５】
データベースには、浴槽データとして浴槽の型式データ、画像データ、浴槽の寸法や形状等の仕様データ等が含まれている。データベースプログラムは、携帯用端末１２から送信された浴槽２の画像データとデータベースの浴槽の画像データを比較して、浴槽２に対応する浴槽データを選択する。そしてこの選択した浴槽データを、浴槽２の画像データを送信した携帯用端末１２に送信する。尚、操作端末９が通信網１１に接続されている場合には、携帯用端末１２から浴槽２の画像データと共に操作端末９のＩＰアドレスをサーバ１３に送信し、サーバ１３は携帯用端末１２を介さずに対応する浴槽データを操作端末９に送信するようにしてもよい。
【００２６】
次に、風呂給湯装置１の試運転について説明する。
浴槽２は、その大きさや形状等が異なる様々な仕様のものの中から、設置される浴室の大きさ等に応じて選択されて設置されるので、湯張り運転において設定された水位まで湯張りするために、予め適切な水位湯量設定（水位と給湯量の関係の設定）をしておくことが必要である。この水位湯量設定は、風呂給湯装置１の試運転で行われる。
【００２７】
浴槽２の水位（浴槽２の底面から水面までの距離）は、循環アダプタ２ａ近傍の追焚通路７に配設された圧力センサ７ｃによって検出される。圧力センサ７ｃの検知圧力は浴槽２の水位に比例し、制御部８はその検知圧力と水位の関係を示すマップ等を有して浴槽２の水位を正確に取得する。
【００２８】
ここで風呂給湯装置１において、従来の試運転シーケンスについて図５のフローチャート及び図６に基づいて説明する。図５のＳｉ（ｉ＝１，２，…）はステップを表す。
最初にＳ１において、風呂給湯装置１の施工者は、操作端末９から給湯設定温度、燃料の種類や単価等の設定を行うと共に浴槽２の排水口２ｂを閉塞し、操作端末９を操作して試運転を開始させる。
【００２９】
次にＳ２において、風呂給湯装置１から湯張り通路６を介して浴槽２に所定量Ａ１（例えば１０Ｌ）の湯水を供給した後、追焚通路７のポンプ７ａを駆動し、浴槽２の湯水が追焚通路７を流通して浴槽２に戻る循環が可能であるか否か判定する。浴槽２に水位湯量設定の妨げとなる湯水が無かったことや湯張り通路６の詰まり等の不具合が無いことを確認するステップであり、追焚通路７の水流スイッチ７ｂによって浴槽２の湯水の循環を検出する。湯水の供給量は、給湯流量センサ５ａの検知流量とその検知期間から求められる。判定がＮｏ、即ち循環が検出されなかった場合にポンプ７ａを停止してＳ３に進む。一方、判定がＹｅｓ、即ち循環が検出された場合には、適切な水位湯量設定ができないのでポンプ７ａを停止してＳ２０に進み、Ｓ２０において試運転のエラーを施工者に報知して終了する。
【００３０】
次にＳ３において、浴槽２に湯水を所定量Ａ２（例えば６０Ｌ）供給してＳ４に進む。そしてＳ４において、ポンプ７ａを駆動して浴槽２の湯水を循環可能か否か判定する。判定がＮｏの場合はポンプ７ａを停止してＳ５に進み、Ｓ５において浴槽２に所定量Ａ３（例えば２０Ｌ）の湯水を供給してＳ６に進み、Ｓ６において所定量Ａ３の供給回数ｎをカウントしてＳ４に戻る。循環可能になるまで所定量Ａ３の供給が繰り返される。尚、供給回数ｎは試運転開始時にゼロに設定される。
【００３１】
Ｓ４の判定がＹｅｓの場合はＳ７に進み、Ｓ７において、浴槽２に湯水を所定量Ａ４（例えば１０Ｌ）供給してＳ８に進む。そしてＳ８において、ポンプ７ａを駆動して浴槽２の湯水の循環を再度確認してポンプ７ａを停止し、Ｓ９に進む。そしてＳ９において、現状の水位を、水位湯量設定を適切に行うための基準水位Ｈ１として設定してＳ１０に進む。
【００３２】
次にＳ１０において、浴槽２に所定量Ａ５（例えば４０Ｌ）の湯水を供給してＳ１１に進み、Ｓ１１において現状の水位を中間水位Ｈ２に設定してＳ１２に進む。そしてＳ１２において、中間水位Ｈ２から目標水位Ｈ３にするために必要な湯水の供給量Ａ６を算出してＳ１３に進む。目標水位Ｈ３は、試運転における追焚運転等他の運転確認用の予め設定されている水位である。基準水位Ｈ１と中間水位Ｈ２と所定量Ａ５の関係から水位湯量設定がなされ、この水位湯量設定に基づいて中間水位Ｈ２から目標水位Ｈ３にするために必要な湯水の供給量Ａ６を算出している。
【００３３】
次にＳ１３において、算出した供給量Ａ６の湯水を浴槽２に供給してＳ１４に進む。そしてＳ１４において、現在水位が所定の判定基準値（例えば目標水位Ｈ３−１０ｍｍ）以上であるか否か判定する。一般的に浴槽は、その内壁が傾斜しており、上方ほど開口面積（水面の面積）が大きくなる形状に形成されているので、この形状による湯水の供給量と水位の非線形的関係による誤差を許容するように判定基準値を設定している。判定がＮｏの場合はＳ１５に進み、Ｓ１５において浴槽２に所定量Ａ７（例えば２Ｌ）の湯水を供給してＳ１６に進み、Ｓ１６において所定量Ａ７の湯水の供給回数ｍをカウントしてＳ１４に戻る。判定基準値以上となるまで所定量Ａ７の湯水の供給が繰り返される。尚、供給回数ｍは試運転開始時にゼロに設定される。
【００３４】
Ｓ１４の判定がＹｅｓの場合は、Ｓ１７に進み、現在水位を運転確認水位Ｈ４に設定してＳ１８に進む。運転確認水位Ｈ４は、試運転終了後の通常の湯張り運転の標準水位になり、この水位を基準に湯水の供給量を調整する。そしてＳ１８において追焚運転や浴槽２に湯水を一定量追加するたし湯運転等、他の運転の確認を行ってＳ１９に進む。
【００３５】
次にＳ１９において、試運転の結果を反映する設定データを記憶（保存）して試運転を終了する。この設定データには、水位湯量設定、運転確認水位Ｈ４（標準水位）に対応する湯水の供給量（Ａ１＋Ａ２＋Ａ３×ｎ＋Ａ４＋Ａ５＋Ａ６＋Ａ７×ｍ）、風呂給湯装置１に供給される燃料の種類や単価等の施工者が操作端末９から入力するデータ等が含まれている。
【００３６】
上記のような風呂給湯装置１の試運転シーケンスでは、様々な仕様の浴槽に対応可能なように浴槽２の湯水供給と水位確認を繰り返し行って、水位湯量設定を行っている。そして水位湯量設定に基づいて算出した湯水量を浴槽に供給し、水位湯量設定が正しく行われたことを確認しているので、試運転にある程度の時間を要する。そこで、試運転によらずに浴槽２の給湯量と水位の関係が分かれば、試運転の時間を短縮することができるので、本発明の風呂給湯装置１は設置された浴槽２の浴槽データを取得して試運転を行う。この浴槽データの取得について、図７のフローチャートに基づいて説明する。図中のＳｉ（ｉ＝２１，２２，…）はステップを表す。
【００３７】
Ｓ２１において、家庭に設置された浴槽２を携帯用端末１２で撮影してＳ２２に進む。次にＳ２２において、撮影した浴槽２の画像データを携帯用端末１２からサーバ１３に送信してＳ２３に進む。次にＳ２３において、サーバ１３は、データベースに記憶している複数の浴槽の画像データと携帯用端末１２が送信した浴槽２の画像データを比較して、浴槽２に対応する浴槽データを選択してＳ２４に進む。次にＳ２４において、選択した浴槽データをサーバ１３から携帯用端末１２に送信してＳ２５に進む。そしてＳ２５において、携帯用端末１２を風呂給湯装置１の操作端末９に通信接続して、サーバ１３から送信された浴槽データを風呂給湯装置１の制御部８に送信して終了する。
【００３８】
浴槽データには浴槽２の寸法や形状等の仕様データが含まれており、この浴槽データを利用して試運転を簡素化して行うことができる。この簡素化した試運転について、図６及び図８のフローチャートに基づいて説明する。図８のＳｉ（ｉ＝３１，３２，…）はステップを表す。
【００３９】
Ｓ３１において、操作端末９を操作して試運転を開始させてＳ３２に進む。次にＳ３２において、風呂給湯装置１から湯張り通路６を介して浴槽２に所定量Ａ１の湯水を供給した後、追焚通路７のポンプ７ａを駆動し、浴槽２の湯水が追焚通路７を流通して浴槽２に戻る循環が可能であるか否か判定する。判定がＮｏの場合はポンプ７ａを停止してＳ３３に進む。判定がＹｅｓの場合は適切な給湯量と水位の関係の設定ができないのでポンプ７ａを停止してＳ４２に進み、Ｓ４２において試運転のエラー発生を施工者に報知して終了する。
【００４０】
次にＳ３３において、浴槽データに基づいて給湯量と水位の関係を算定しＳ３４に進む。そしてＳ３４において、算定した給湯量と水位の関係に基づいて既に供給された所定量Ａ１の湯水に追加供給して基準水位Ｈ１になる給湯量を算出し、算出した給湯量の湯水を浴槽２に供給してＳ３５に進む。
【００４１】
次にＳ３５において、ポンプ７ａを駆動して浴槽２の湯水が追焚通路７を流通して浴槽２に戻る循環が可能であるか否か判定する。循環ができず判定がＮｏの場合は、正しい浴槽データを受信していない、又は風呂給湯装置１と浴槽２の配管接続に何らかの不具合が発生している等の理由で適切な試運転ができないので、ポンプ７ａを停止してＳ４２に進み、Ｓ４２において試運転のエラー発生を施工者に報知して終了する。循環可能で判定がＹｅｓの場合は、ポンプ７ａを停止してＳ３６に進む。
【００４２】
次にＳ３６において、現状の水位を基準水位Ｈ１として記憶してＳ３７に進む。次にＳ３７において、Ｓ３３で算定した給湯量と水位の関係に基づいて、既に供給された湯水に追加供給して目標水位Ｈ３になる給湯量を算出し、算出した給湯量の湯水を浴槽２に供給してＳ３８に進む。
【００４３】
次にＳ３８において、現在水位と目標水位Ｈ３の差が所定の基準範囲内（例えば±５ｍｍ以内）であるか否か判定する。判定がＮｏ、即ち正しい浴槽データを受信していない等何らかの不具合が発生している虞がある場合にはＳ４２に進む。判定がＹｅｓの場合はＳ３９に進み、Ｓ３９において現在水位をこの風呂給湯装置１の運転確認水位Ｈ４（標準水位）に設定してＳ４０に進む。
【００４４】
次にＳ４０において追焚やたし湯等、他の運転の確認を行ってＳ４１に進み、Ｓ４１において試運転の結果を反映する設定データを記憶して試運転を終了する。このように、浴槽データに含まれる浴槽の仕様データに基づいて算定した給湯量と水位の関係を利用することにより、湯水供給と水位確認の繰り返しを減らして試運転の時間を短縮している。また、上記のような風呂給湯装置１と外部装置１０で構成した試運転システムであれば、携帯用端末１２から送信する画像データは、撮影すべき部位を含んだ浴槽２の全体の画像データなので撮影が容易になり、施工者の負担も軽減される。
【実施例２】
【００４５】
実施例１を部分的に変更して、サーバ１３から送信される浴槽データが浴槽の型式データである例を説明する。実施例１と共通する部分は同じ符号を付して説明を省略する。
サーバ１３から送信される浴槽データは、浴槽の型式データである。風呂給湯装置１の制御部８は、複数の浴槽の型式データとそれらに対応する浴槽の寸法や形状等の仕様データを予め記憶装置８ｃに記憶している。これら複数の浴槽の型式データ及び仕様データは、風呂給湯装置１の製造時に記憶させるが、例えば施工時に携帯用端末１２によって更新してもよい。
【００４６】
制御部８は、受信した浴槽の型式データに対応する浴槽の仕様データに基づいて、浴槽の給湯量と水位の関係を算定して試運転を行う（図８のＳ３３参照）。風呂給湯装置１が予め記憶した浴槽の仕様データに基づいて算定した給湯量と水位の関係を利用することにより、湯水供給と水位確認の繰り返しを減らして試運転の時間の短縮をしている。
【実施例３】
【００４７】
実施例１を部分的に変更した他の例を説明する。実施例１と共通する部分は同じ符号を付して説明を省略する。
サーバ１３には、データベースに含まれる複数の浴槽に対して、それらの仕様データに含まれる寸法及び形状に基づいて夫々に適した試運転シーケンスを作成するための試運転シーケンス作成プログラムが導入されている。データベースには、各浴槽に対して試運転シーケンス作成プログラムによって作成された試運転シーケンスが記憶されており、サーバ１３から送信される浴槽データは、例えば図９に示すような試運転シーケンスである。
【００４８】
この試運転シーケンスには、既にサーバ１３が仕様データに基づいて算定した浴槽の給湯量と水位の関係が含まれているので、給湯量と水位の関係を算定するステップ（図８のＳ３３）を省略したこと以外は図８の試運転シーケンスと共通である。サーバ１３が算定した給湯量と水位の関係を利用することにより、湯水供給と水位確認の繰り返しを減らして試運転の時間の短縮をしている。尚、浴槽２に対応する浴槽データ選択時に試運転シーケンスを作成して送信してもよく、試運転シーケンスには算定した給湯量と水位の関係に基づいて算出された給湯量が含まれていてもよい。
【００４９】
次に、本発明の風呂給湯装置１の作用、効果について説明する。
風呂給湯装置１の試運転の際には、携帯用端末１２で撮影した家庭の浴槽２の画像データに基づいて、サーバ１３のデータベースから選択された浴槽２に対応する浴槽データを風呂給湯装置１が受信する。そして、この受信した浴槽データに基づいて風呂給湯装置１の試運転を行う。従って、風呂給湯装置１が配管接続された浴槽２に対応する試運転を行うことができるので、試運転に要する時間を短縮することができる。
【００５０】
風呂給湯装置１は、受信した仕様データに基づいて浴槽２の水位に対応する給湯量を算出し、算出した給湯量の湯水を浴槽２に供給して試運転を行う。従って、家庭に設置された浴槽２に対応する試運転を行うことができるので、試運転の時間を短縮することができる。
【００５１】
また、風呂給湯装置１は、浴槽２の給湯量と水位の関係が既に算出された試運転シーケンスを受信し、この試運転シーケンスに基づいて試運転を行うことができる。従って、家庭に設置された浴槽２に対応する試運転を行うことができるので、試運転の時間を短縮することができる。
【００５２】
携帯用端末１２からサーバ１３に送信される浴槽２の画像データは動画データであってもよく、データベースプログラムが動画データから抽出した画像に基づき浴槽２に対応する浴槽データを選択するようにしてもよい。また、風呂給湯装置１は、ヒートポンプ熱源機等を利用して貯湯した湯水を給湯する貯湯式の給湯器でもよい。その他、当業者であれば、本発明の趣旨を逸脱することなく上記実施例に種々の変更を付加した形態で実施可能であり、本発明はそのような変更形態を包含するものである。
【符号の説明】
【００５３】
１      ：風呂給湯装置
２      ：浴槽
２ａ    ：循環アダプタ
２ｂ    ：排水口
８      ：制御部（制御手段）
９      ：操作端末
９ａ    ：通信手段
１０    ：外部装置
１１    ：通信網
１２    ：携帯用端末
１２ｄ  ：カメラ
１２ｆ  ：通信手段
１３    ：サーバ
１３ｄ  ：通信手段
【図１】
2020003091.tif 000003
【図２】
2020003091.tif 000004
【図３】
2020003091.tif 000005
【図４】
2020003091.tif 000006
【図５】
2020003091.tif 000007
【図６】
2020003091.tif 000008
【図７】
2020003091.tif 000009
【図８】
2020003091.tif 000010
【図９】
2020003091.tif 000011